(57)【特許請求の範囲】
【請求項１】
水平方向に吹き出すファン（３５）と
前記ファンの吹出口（５１ａ）が形成されたケーシング（５０）と、
前記吹出口に対し前記ファンの吹き出し方向前方に配置される吹出グリル（６０）と、
を備え、
前記吹出グリルは、前記吹出口全体を覆うグリル本体部（６３）と、前記グリル本体部の上面（６２ａ）から上方に延びる延伸部（６４）と、を有し、
前記延伸部は、前記ファンの吹き出し方向前方に突出し水平方向に延びる横溝が形成された横溝部（１６１）を有し、
前記横溝部には、鉛直上方に延び、前記ケーシングの表面と対向する平面（１６１ａ）が形成され、
前記横溝部に形成された前記平面に、前記ケーシングとの接触面が前記延伸部よりも前記ケーシング側に突出し、該接触面が前記ケーシングの上下方向に延びる平面部と密接するシール材（１６５）が、固定される、
冷凍装置（１）の室外ユニット（２０）。
【請求項２】
前記横溝部は、鉛直方向に５ｍｍ以上の幅を有する、
請求項１に記載の室外ユニット。
【請求項３】
前記延伸部（６４）は、前記グリル本体部（６３）と一体に成形される、
請求項１又は２に記載の室外ユニット。
【発明の詳細な説明】
【技術分野】
【０００１】
本発明は、冷凍装置の室外ユニットに関する。
【背景技術】
【０００２】
冷凍装置の室外ユニットにおいて、暖房運転期に、雨や雪などを原因としてケーシング外面に付着した水滴が、ケーシングを伝ってケーシング内（ベルマウスとファンとの間）に侵入する場合がある。特に、外気温度が低い場合にはファンの吹出空気温度が氷点下になる場合があり、ベルマウスとファンとの間に侵入した水滴が氷結することがある。このようにして形成された氷は、ファンと接触して異音を発生させたり、ファンの回転を妨げたりする場合がある。
【０００３】
このような問題に対し、特許文献１（特開２０１１−９４９１９号公報）のように、ケーシング内への水滴の侵入を防止するため、吹出しグリルの上方に沿って庇部を別部材として設けた事例が知られている。
【０００４】
また、特許文献２（特開平８−１７８３６５号公報）のように、ケーシング前板に凸状の突出部を設け、吹出しグリルには突出部と対応する凹状の防水部を設け、突出部と防水部とを結合することでケーシング内への水滴の侵入を防止した事例も知られている。
【発明の概要】
【発明が解決しようとする課題】
【０００５】
ところが、特許文献１のように吹出しグリル以外に別部材の庇部を設けた構造や、特許文献２のようにケーシングおよび吹出しグリルに複雑な形状の加工を施した構造では、材料費、加工費、組立作業費等が高くなり、室外ユニットのコストアップにつながるという問題がある。
【０００６】
本発明の課題は、製造コストを抑制しつつ、ケーシング外部からベルマウスとファンとの間に水滴が侵入することを防止可能な冷凍装置の室外ユニットを提供することにある。
【課題を解決するための手段】
【０００７】
本発明の第１観点に係る冷凍装置の室外ユニットは、ファンと、ケーシングと、吹出グリルと、を備える。ファンは、水平方向に吹き出す。ケーシングには、ファンの吹出口が形成されている。吹出グリルは、吹出口に対しファンの吹き出し方向前方に配置される。吹出グリルは、吹出口全体を覆うグリル本体部と、グリル本体部の上面から上方に延びる延伸部と、を有する。延伸部は、ファンの吹き出し方向前方に突出し水平方向に延びる横溝が形成された横溝部を有する。横溝部には、鉛直上方に延び、ケーシングの表面と対向する平面が形成される。横溝部に形成された平面に、ケーシングとの接触面が延伸部よりもケーシング側に突出し、該接触面がケーシングの上下方向に延びる平面部と密接するシール材が、固定される。
【０００８】
ここでは、吹出グリルの上方に、横溝部を有する延伸部を設けたことで、延伸部はケーシングの形状に応じて変形しやすく、ケーシングと密接しやすい。そのため、別体の庇部等を設けることなく、雨や雪などを原因としてケーシングに付着した水滴が、ケーシング内部に侵入するのを防止できる。
【０００９】
また、ここでは、横溝部にシール材を固定することで、ケーシングに付着した水滴がケーシング内部に侵入することが、確実に防止されやすい。
【００１０】
また、ここでは、鉛直上方に延び、ケーシングの表面と対向する平面にシール材を固定するので室外ユニットの組立作業が簡単であり、簡単な作業でケーシング内に水が浸入しにくい構造を実現可能である。
【００１１】
本発明の第２観点に係る冷凍装置の室外ユニットは、第１観点に係る冷凍装置の室外ユニットにおいて、横溝部は、鉛直方向に５ｍｍ以上の幅を有する。
【００１２】
ここでは、横溝部が鉛直方向に５ｍｍ以上の幅を有するため、ケーシングと十分な接触面積を確保可能なシール材を横溝部に固定できる。その結果、ケーシングに付着した水滴のケーシング内部への侵入が確実に防止されやすい。また、横溝部を５ｍｍ以上の幅とすることで、室外ユニットの組立作業者がシール材を固定する際に、細かな作業を要しないため、作業の効率化につながる。
【００１３】
本発明の他の観点に係る冷凍装置の室外ユニットでは、延伸部は、横溝部の上端に、ケーシングに向かって斜め上方に延び、ケーシングと密接する密接部をさらに有する。
【００１４】
ここでは、横溝部の上端からケーシングに向かって斜め上方に伸びる密接部を有するため、シール材を用いることなく、ケーシングに付着した水滴がケーシング内部に侵入することを防止する構造が実現できる。
【００１５】
本発明の第３観点に係る冷凍装置の室外ユニットは、第１観点又は第２観点のいずれかに係る冷凍装置の室外ユニットにおいて、延伸部は、グリル本体部と一体に成形される。
【００１６】
ここでは、延伸部をグリル本体部と一体に成形できるため、室外ユニットの部品コストを抑制すると共に、延伸部が別部品である場合に比べ、室外ユニットの組立作業者の作業量を抑制できる。その結果、製造コストを抑制しながら、ケーシングに付着した水滴がケーシング内部に侵入することを防止する構造が実現できる。
【発明の効果】
【００１７】
本発明の第１観点に係る冷凍装置の室外ユニットでは、吹出グリルの上方に横溝部を有する延伸部を設けたことで、延伸部はケーシングの形状に応じて変形しやすく、ケーシングと密接しやすい。そのため、別体の庇部等を設けることなく、雨や雪などを原因としてケーシングに付着した水滴が、ケーシング内部に侵入するのを防止できる。
【００１８】
また、本発明の第１観点に係る冷凍装置の室外ユニットでは、ケーシングに付着した水滴のケーシング内部への侵入を防止しやすい。
【００１９】
また、本発明の第１観点および第２観点に係る冷凍装置の室外ユニットでは、組立作業者の作業を軽減しつつ、ケーシングに付着した水滴がケーシング内部に侵入することを防止する構造を実現できる。
【００２０】
本発明の他の観点に係る冷凍装置の室外ユニットでは、シール材を用いることなく、ケーシングに付着した水滴がケーシング内部に侵入することを防止できる。
【００２１】
本発明の第３観点に係る冷凍装置の室外ユニットでは、製造コストを抑制しながら、ケーシングに付着した水滴がケーシング内部に侵入することを防止する構造が実現できる。
【図面の簡単な説明】
【００２２】
【図１】本発明の一実施形態に係る冷凍装置の室外ユニットが採用された空気調和装置の概略の冷媒回路図である。
【図２】本発明の一実施形態に係る冷凍装置の室外ユニットの概略斜視図である。
【図３】本発明の一実施形態に係る冷凍装置の室外ユニットの天板を取り除いた状態での概略平面図である。
【図４】室外熱交換器の概略斜視図である。同一部材については、一部の参照符号を省略している。
【図５】室外熱交換器の扁平多孔管および差込フィンを鉛直方向に切断したときの部分拡大図である。同一部材については、一部の参照符号を省略している。
【図６】本発明の一実施形態に係る冷凍装置の室外ユニットの吹出グリルを背面側（ケーシングの前板側）から見たときの概略斜視図である。同一部材については、一部の参照符号を省略している。
【図７】図６のVII矢視における拡大断面図である。
【図８】図６のVIII部の拡大図である。
【図９】本発明の変形例Ｂに係る冷凍装置の室外ユニットの吹出グリルの延伸部の概略断面図である。
【発明を実施するための形態】
【００２３】
以下、図面を参照しながら、本発明の実施形態について説明する。
【００２４】
本実施形態の冷凍装置の室外ユニットは、空気調和装置の室外ユニットとして利用される。
【００２５】
（１）空気調和装置の概要
（１−１）全体構成
空気調和装置１は、いわゆるセパレートタイプの空気調和装置であり、図１に示すように、室外ユニット２０と、室内ユニット４０と、室外ユニット２０と室内ユニット４０とを接続する液冷媒連絡配管７１およびガス冷媒連絡配管７２とを有する。
【００２６】
（１−２）室内ユニット
室内ユニット４０は、空気調和の対象である室内に設置される。室内ユニット４０は、主に、室内熱交換器４１と、室内ファン４２とを有する。
【００２７】
室内熱交換器４１は、伝熱管と多数の伝熱フィンとにより構成されたクロスフィン式のフィン・アンド・チューブ型熱交換器である。冷房運転時には冷媒の蒸発器として機能して室内空気を冷却し、暖房運転時には冷媒の凝縮器として機能して室内空気を加熱する。室内熱交換器４１の液側は液冷媒連絡配管７１に接続され、室内熱交換器４１のガス側はガス冷媒連絡配管７２に接続される。
【００２８】
室内ファン４２は、図示しないモータにより回転され、室内空気を取り込んで室内熱交換器４１に送風し、室内熱交換器４１と室内空気との熱交換を促進する。
【００２９】
（１−３）室外ユニット
図１に室外ユニット２０内の冷媒回路を、図２に室外ユニット２０の概観斜視図を示す。室外ユニット２０は、室外に設置される横吹き型の室外ユニットである。室外ユニット２０は、主に、アキュムレータ２１、圧縮機２３、四路切換弁２４、室外熱交換器２５、膨張弁２６、液側閉鎖弁２７、ガス側閉鎖弁２８、および室外ファン３５を、ケーシング５０内に有する。アキュムレータ２１、圧縮機２３、四路切換弁２４、室外熱交換器２５、膨張弁２６、液側閉鎖弁２７、および、ガス側閉鎖弁２８は、冷媒配管により接続される。冷媒配管による接続については後述する。
【００３０】
なお、室外ファン３５の吹出し側に配置されるケーシング５０の前板５１には、図３に示すように、室外ファン３５から送風される空気の吹出口５１ａが形成される。吹出口５１ａは円形の開口である。吹出口５１ａの開口の周縁部からは、ケーシング５０の内側に向かって突出するベルマウス６５が設けられる。吹出口５１ａのケーシング５０外側には、吹出口５１ａ全体を覆う吹出グリル６０が取り付けられる。
【００３１】
（２）室外ユニットの詳細説明
以下の説明で、「上」、「下」、「左」、「右」、「前」、「後」、「正面」、「背面」等の方向を示す表現を用いているが、特に断りのない場合、吹出グリル６０の配置される前板５１を室外ユニット２０の正面として、正面側から見た場合の方向を示す。
【００３２】
（２−１）冷媒配管による接続
圧縮機２３の吸入口と四路切換弁２４とは、吸入管８１によって接続される。吸入管８１には、圧縮機２３の吸入口と四路切換弁２４との間に、アキュムレータ２１が設けられる。圧縮機２３の吐出口と四路切換弁２４とは、吐出管８２によって接続される。四路切換弁２４と室外熱交換器２５のガス側とは、第１ガス冷媒管８３によって接続される。室外熱交換器２５と液側閉鎖弁２７とは、液冷媒管８４によって接続される。液冷媒管８４には、室外熱交換器２５と液側閉鎖弁２７との間に、膨張弁２６が設けられる。液側閉鎖弁２７は、液冷媒連絡配管７１に接続される。四路切換弁２４とガス側閉鎖弁２８とは、第２ガス冷媒管８５によって接続される。ガス側閉鎖弁２８は、ガス冷媒連絡配管７２に接続される。
【００３３】
（２−２）圧縮機
圧縮機２３はガス冷媒を吸入し、ガス冷媒を圧縮する。圧縮機２３は容積式圧縮機である。
【００３４】
（２−３）四路切換弁
四路切換弁２４は、空気調和装置１の冷房運転と暖房運転との切換時に、冷媒の流れ方向を切り換える。冷房運転時には吐出管８２と第１ガス冷媒管８３とを接続するとともに吸入管８１と第２ガス冷媒管８５とを接続する。一方、暖房運転時には吐出管８２と第２ガス冷媒管８５とを接続するとともに吸入管８１と第１ガス冷媒管８３とを接続する。
【００３５】
（２−４）アキュムレータ
アキュムレータ２１は、冷媒を気相と液相とに分離する気液分離機能を有する。アキュムレータ２１に流入する冷媒は、液相と気相とに分離され、上部空間に集まる気相の冷媒は圧縮機２３に供給される。
【００３６】
（２−５）室外熱交換器
室外熱交換器２５は、室外空気との熱交換によって内部を流れる冷媒を凝縮又は蒸発させる。室外熱交換器２５は、全てがアルミニウム製又はアルミニウム合金製である。室外熱交換器２５は、ケーシング５０を含む鋼製部材と直接接触することがないよう、鋼製部材と適切なスペースを空けて、又は、樹脂部材等を鋼製部材と室外熱交換器２５との間に設置して、ケーシング５０内に配置される。
【００３７】
後述する室外ファン３５によりケーシング５０外から取り込まれた室外空気は、室外熱交換器２５を通過したのち、ケーシング５０に形成された吹出口５１ａからケーシング外へ排出される。
【００３８】
室外熱交換器２５は、扁平多孔管９３、差込フィン９４およびヘッダ９１，９２を有する。図４は、室外熱交換器２５の概略斜視図である。
【００３９】
室外熱交換器２５は、図３のように、ケーシング５０の背面側に沿って、後述する仕切板５８の端部付近から左方に延び、ケーシング５０の左後方角部付近でその方向を変え、後述する左側板５４に沿って前方に延びる。
【００４０】
図５は、扁平多孔管９３および差込フィン９４を鉛直方向に切断したときの部分拡大図である。扁平多孔管９３は、伝熱面となる上下の平面部と、冷媒が流れる複数の内部流路９３ａとを有している。扁平多孔管９３は、平面部を上下に向けた状態で、間隔をあけて複数段配列される。差込フィン９４は、図５に示す形状のフィンであり、扁平多孔管９３に接している。両ヘッダ９１，９２の間に配列された複数段の扁平多孔管９３に対して差込フィン９４を差し込めるように、差込フィン９４には、水平に細長く延びる複数の切り欠き９４ａが形成されている。これらの差込フィン９４の切り欠き９４ａの形状は、図５に示すように、扁平多孔管９３の断面の外形にほぼ一致している。
【００４１】
ヘッダ９１，９２は、上下方向に複数段配列された扁平多孔管９３の両端に連結される。ヘッダ９１，９２は、扁平多孔管９３を支持する機能と、冷媒を扁平多孔管９３の内部流路９３ａに導く機能と、内部流路９３ａから出てきた冷媒を集合させる機能とを有している。
【００４２】
（２−６）膨張弁
膨張弁２６は、冷媒圧力や冷媒流量の調節を行うために設けられ、冷房運転時および暖房運転時のいずれにおいても、冷媒を膨張させる機能を有する。
【００４３】
（２−７）閉鎖弁
液側閉鎖弁２７およびガス側閉鎖弁２８は、それぞれ、液冷媒連絡配管７１およびガス冷媒連絡配管７２に接続される。通常運転時においては、両閉鎖弁２７，２８は開いた状態にある。
【００４４】
（２−８）室外ファン
室外ファン３５は、水平方向に送風するファンである。室外ファン３５は、モータ３５ａにより回転され、室外空気をケーシング５０の外部から取り込む。取り込まれた室外空気は、室外熱交換器２５を通過したのち、ケーシング５０に形成された吹出口５１ａからケーシング５０の外へ排出される。すなわち、室外ファン３５が回転することで、概ね図３中の矢印のように空気が移動する。
【００４５】
（２−９）ケーシング
ケーシング５０は、主に鋼製である。ケーシング５０は、前板５１と左側板５４とが一体に形成された左ケーシング部材１５１、底板５２、右前板５５、右後板５６、天板５７、および仕切板５８から構成される。
【００４６】
（２−９−１）左ケーシング部材
左ケーシング部材１５１は、平面視において略Ｌ字形状に形成される板状部材であり、前板５１と左側板５４とが一体に成形されている。左ケーシング部材１５１は、底板５２から天板５７まで略鉛直上方に延びる。左ケーシング部材１５１と、底板５２および天板５７とは、それぞれネジ等により固定される。
【００４７】
前板５１は、ケーシング５０の左側正面を構成する板状部材である。前板５１には、室外ファン３５から送風される空気の吹出口５１ａが形成されている。吹出口５１ａは円形の開口である。吹出口５１ａの開口の周縁部からは、ケーシング５０の内側に向かって突出するベルマウス６５が設けられる。吹出口５１ａのケーシング５０外側には、吹出グリル６０が取り付けられる。
【００４８】
左側板５４は、ケーシング５０の左側面を構成する部材であり、室外熱交換器２５の前後方向に延びる部分と対面する。左側板５４には、室外ファン３５によってケーシング５０内に吸入される空気の吸入口５４ａが形成される。
【００４９】
（２−９−２）底板
底板５２は、ケーシング５０の下面を構成する略直方形状の板状部材である。底板５２の周縁部には、上向きに延びる図示しない折曲部が設けられている。折曲部には、左ケーシング部材１５１、右前板５５、右後板５６、および仕切板５８がネジ等により固定される。
【００５０】
（２−９−３）右前板
右前板５５は、ケーシング５０の右前面及び右側面の前部を構成する板状部材である。右前板５５は、底板５２から天板５７まで略鉛直上方に延び、底板５２とネジ等により固定される。また、右前板５５の左端部は、左ケーシング部材１５１の前板５１の右端部と、ネジ等により固定される。
【００５１】
（２−９−４）右後板
右後板５６は、ケーシング５０の右背面及び右側面の後部を構成する板状部材である。右後板５６は、底板５２から天板５７まで略鉛直上方に延び、底板５２および天板５７と、それぞれネジ等により固定される。左ケーシング部材１５１の左側板５４の後端部と、右後板５６の背面側端部との左右方向間には、室外ファン３５によってケーシング５０内に吸入される空気の吸入口５３ａが形成される。
【００５２】
（２−９−５）天板
天板５７は、ケーシング５０の上面を構成する略直方形状の板状部材である。天板５７の周縁部は、下向きに折り曲げられた折曲部５７ａを有する。折曲部には、左ケーシング部材１５１および右後板５６がネジ等により固定される。
【００５３】
（２−９−６）仕切板
仕切板５８は、ケーシング５０の底板５２から天板５７まで略鉛直上方に延びる板状部材である。仕切板５８は、その下部が底板５２とネジ等により固定される。仕切板５８は、図３に示すように、平面視において弧状の形状を有する。仕切板５８は、ケーシング５０の内部を送風機室Ｓ１と、機械室Ｓ２とに分割する。
【００５４】
送風機室Ｓ１は、左ケーシング部材１５１および仕切板５８に側面を囲まれて形成された空間であり、主に室外ファン３５および室外熱交換器２５が配置される。機械室Ｓ２は、右前板５５、右後板５６および仕切板５８で側面を囲まれて形成された空間であり、圧縮機２３、四路切換弁２４や、電装ユニット等が配置される。
【００５５】
（２−１０）吹出グリル
吹出グリル６０は、室外ファン３５に人間の手指や異物が接触することを防止する略直方形状のカバー部材である。吹出グリル６０は、左ケーシング部材１５１の前板５１の吹出口５１ａ全体をカバーするように、ケーシング５０の正面外側に取り付けられる。すなわち、吹出グリル６０は、ケーシング５０の吹出口５１ａに対し、室外ファン３５から吹き出す空気の吹き出し方向に取り付けられる。
【００５６】
図６から図８を用いてさらに詳しく説明する。
【００５７】
吹出グリル６０は、室外ファン３５と対向し室外ファン３５をカバーするカバー部６１およびカバー部６１の周縁から前板５１に向かって延びる周縁部６２を有するグリル本体部６３と、グリル本体部６３の上面６２ａから、前板５１の平面部に沿って上方に延びる延伸部６４と、吹出グリル６０の左側下部に配置される把手部６６とを有する。カバー部６１の背面６１ａと周縁部６２の内面６２ｂとで囲まれて形成される空間は、室外ファン３５により送風される空気が通過する通風空間Ｓ３である。把手部６６は、室外ユニット２０の運搬時に、運搬者が把持する部分である。
【００５８】
（２−１０−１）延伸部
延伸部６４は、図６のように、グリル本体部６３の上面６２ａの左右方向に、ほぼ全体に亘って設けられる。延伸部６４は、図７のように、室外ファン３５の吹き出し方向、すなわち、室外ユニット２０の正面方向に突出する横溝が形成された横溝部１６１を有する。また、延伸部６４は、横溝部１６１の上端から前板５１に向かって斜め上方に延びる折曲部１６２を有する。
【００５９】
横溝部１６１の横溝は、水平方向に延び、延伸部６４のほぼ全面に亘って形成される。横溝部１６１は、前板５１と略平行に、略鉛直上方に延びる対向面１６１ａを有し、対向面１６１ａのほぼ全面に亘ってシール材１６５が貼付されて固定される。横溝部１６１の鉛直方向の幅は約１０ｍｍである。グリル本体部６３および延伸部６４は一体に形成された樹脂製の部材である。シール材１６５は、ゴム等で作られたガスケットである。
【００６０】
吹出グリル６０は、グリル本体部６３の４つの取付部１６３にそれぞれ設けられた爪部１６４を、前板５１に形成された対応する図示しない角穴に差し込むと共に、グリル本体部に形成された丸穴１６３ａに図示しないネジを挿入し、前板５１に形成された図示しないネジ穴にネジをねじ込んで固定することで、前板５１に取り付けられる。グリル本体部６３を前板５１に固定する際にネジを締め付けることで、横溝部１６１の対向面１６１ａと前板５１との間でシール材１６５が圧縮され、シール材１６５の接触面１６５ａは前板５１の平面部と隙間なく密接する。
【００６１】
（２−１０−２）把手部
把手部６６は、図８に示すように、カバー部６１の背面６１ａの一部に形成された把持面６６ａを有する。把持面６６ａは、把持面６６ａの背面側の上方および左右に配置された周縁部６２および前板５１と共に、通風空間Ｓ３とは分離された把持空間Ｓ４を形成する。把持空間Ｓ４は下方が開口しており、運搬者は、この開口に手指を挿入し、把持面６６ａを手指で握るように把持する。把持面には、半球状の小突起６７が複数形成されており、運搬者が把持する際に、手指が滑りにくい。
【００６２】
（３）特徴
（３−１）
本実施形態にかかる空気調和装置１の室外ユニット２０は、室外ファン３５と、ケーシング５０と、吹出グリル６０と、を備える。室外ファン３５は水平方向に吹き出す。すなわち、室外ユニット２０は、横吹き型の室外ユニットである。ケーシング５０には、室外ファン３５の吹出口５１ａが形成されている。吹出グリル６０は、吹出口５１ａに対し室外ファン３５の吹き出し方向前方に配置される。吹出グリル６０は、吹出口５１ａ全体を覆うグリル本体部６３と、グリル本体部６３の上面６２ａから上方に延びる延伸部６４と、を有する。延伸部６４は、室外ファン３５の吹き出し方向前方に突出し水平方向に延びる横溝が形成された横溝部１６１を有する。
【００６３】
吹出グリル６０の上方に横溝部１６１を有する延伸部６４を設けたことで、延伸部６４はケーシング５０の形状に応じて変形しやすく、ケーシング５０の前板５１と密接しやすい。そのため、別体の庇部等を設けることなく、雨や雪などを原因としてケーシング５０に付着した水滴が、ケーシング５０の内部に侵入するのを防止できる。
【００６４】
（３−２）
本実施形態にかかる空気調和装置１の室外ユニット２０では、横溝部１６１には、ケーシング５０の前板５１と密接するシール材１６５が固定される。
【００６５】
シール材１６５を有することで、ケーシング５０に付着した水滴が、ケーシング５０の内部に侵入することを確実に防止しやすい。
【００６６】
（３−３）
本実施形態にかかる空気調和装置１の室外ユニット２０において、横溝部１６１には、鉛直上方に延び、ケーシング５０の前板５１の表面と対向する対向面１６１ａが形成されており、その対向面１６１ａにシール材１６５が固定される。
【００６７】
鉛直上方に延び、ケーシング５０の前板５１の表面と対向する対向面１６１ａにシール材１６５を固定するので室外ユニット２０の組立作業が簡単になり、簡単な作業でケーシング５０内に水が浸入しにくい構造を実現可能である。
【００６８】
（３−４）
本実施形態にかかる空気調和装置１の室外ユニット２０では、延伸部６４は、グリル本体部６３と一体に成形される。
【００６９】
これにより、室外ユニット２０の部品コストを抑制すると共に、延伸部６４が別部品である場合に比べ、室外ユニット２０の組立作業者の作業量を抑制できる。その結果、製造コストを抑制しながら、ケーシング５０に付着した水滴がケーシング５０の内部に侵入することを防止する構造が実現できる。
【００７０】
（４）変形例
以下に本実施形態の変形例を示す。なお、複数の変形例を適宜組み合わせてもよい。
【００７１】
（４−１）変形例Ａ
上記の実施形態に示された室外ユニット２０は、空気調和装置１に使用されるものであるが、これに限定されるものではなく、その他の冷凍装置に使用されるものであってもよい。
【００７２】
（４−２）変形例Ｂ
上記の実施形態に示された室外ユニット２０の延伸部６４は、横溝部１６１にシール材１６５を固定しているが、これに限定されるものではなく、シール材１６５を有していなくてもよい。
【００７３】
図９を用いて、シール材１６５を有しない吹出グリル２６０について説明する。なお、上記の実施形態と同じ参照番号を付したものは上記の実施形態におけるものと同一である。また、特に説明を付さない事項は上記の実施形態と同様である。
【００７４】
吹出グリル２６０において、延伸部２６４は、グリル本体部６３の上面６２ａから上方に延び、グリル本体部６３の上面６２ａの左右方向に、ほぼ全面に亘って設けられる。延伸部２６４は、グリル本体部６３と一体に成形される部材である。延伸部２６４は、横溝部３６１および密接部３６２を有する。
【００７５】
横溝部３６１には、図９のように、室外ファン３５の吹き出し方向、すなわち、室外ユニット２０の正面方向に突出する横溝が形成されている。横溝部３６１において、横溝は、水平方向に延び、延伸部２６４のほぼ全面に亘って形成される。
【００７６】
密接部３６２は、横溝部３６１の上端から前板５１に向かって斜め上方に延びる。密接部３６２は、前板５１に形成された角穴に挿入される爪部１６４を除き、吹出グリル６０のその他の部分よりも、前板５１側すなわち後方に突き出している。より具体的には、密接部３６２の前板５１側の端部は、周縁部６２の前板５１側の端部よりも、約１ｍｍ、前板５１側、すなわち後方に突き出している。密接部３６２が吹出グリル６０のその他の部分よりも後方に突き出しているため、吹出グリル６０を前板５１にネジで固定する際に、密接部３６２の前板５１と対向する対向面３６２ａが、前板５１に密接するように押し付けられる。
【００７７】
横溝部３６１を設け、さらに、横溝部３６１の上端に密接部３６２を設け、密接部３６２の前板５１と対向する対向面３６２ａを吹出グリル６０のその他の部分よりも後方に突き出させることで、前板５１に多少のたわみがある場合にも、樹脂製の密接部３６２の対向面３６２ａと前板５１とが密接しやすい。その結果、シール材を用いることなく、ケーシング５０に付着した水滴がケーシング５０の内部に侵入することを防止できる。
【００７８】
（４−３）変形例Ｃ
上記の実施形態に示された室外ユニット２０の延伸部６４の横溝部１６１は鉛直方向に１０ｍｍの幅を有するが、これに限定されるものではない。
【００７９】
ただし、横溝部１６１は、鉛直方向に５ｍｍ以上の幅を有することが望ましい。
【００８０】
横溝部１６１の鉛直方向の幅を５ｍｍ以上とすることで、ケーシング５０の前板５１と十分な接触面積を確保可能なシール材１６５を横溝部１６１に固定できる。その結果、シール材１６５とケーシング５０とがより確実に密接されやすく、ケーシング５０に付着した水滴のケーシング５０の内部への侵入が確実に防止されやすい。また、横溝部１６１の鉛直方向の幅を５ｍｍ以上とすることで、室外ユニットの組立作業者に細かな作業を要求する必要がなくなり、作業の能率化につながる。
【符号の説明】
【００８１】
１  空気調和装置（冷凍装置）
２０  室外ユニット
３５  室外ファン（ファン）
５０  ケーシング
５１ａ  吹出口
６０  吹出グリル
６２ａ  上面（グリル本体部の上面）
６３  グリル本体部
６４，２６４  延伸部
１６１，３６１  横溝部
１６１ａ  対向面（ケーシングの表面と対向する平面）
１６５  シール材
３６２  密接部
【先行技術文献】
【特許文献】
【００８２】
【特許文献１】特開２０１１−９４９１９号公報
【特許文献２】特開平８−１７８３６５号公報
【図１】
0005720562.tif 000002
【図２】
0005720562.tif 000003
【図３】
0005720562.tif 000004
【図４】
0005720562.tif 000005
【図５】
0005720562.tif 000006
【図６】
0005720562.tif 000007
【図７】
0005720562.tif 000008
【図８】
0005720562.tif 000009
【図９】
0005720562.tif 000010